(57)【特許請求の範囲】
【請求項１】
カバー部；
上記カバー部を通じて人体に外力を伝達するための駆動部；及び
上記カバー部に接して備えられ、上記駆動部から伝達される外力による表示を示すディスプレイ部；
を含み、
上記ディスプレイ部は、上記駆動部が伝達する外力の強度を測定し、測定された外力の強度に対応される表示を示す、ディスプレイ装置。
【請求項２】
上記駆動部は、
振動を発生させ、上記カバー部を通じて人体に振動を伝達する振動部からなる、請求項１に記載のディスプレイ装置。
【請求項３】
上記ディスプレイ部は、
複数の発光部を含み、上記駆動部が伝達する外力の強度によって別の発光形態を表現する、請求項１に記載のディスプレイ装置。
【請求項４】
上記ディスプレイ部は、
上記駆動部に提供される外力強度調節に対する信号を共有し、外力の強度に対応される表示を示す、請求項１に記載のディスプレイ装置。
【請求項５】
上記駆動部及び上記ディスプレイ部は、
それぞれ複数個からなる、請求項１に記載のディスプレイ装置。
【請求項６】
上記ディスプレイ部は、
面状発光体である、請求項１に記載のディスプレイ装置。
【発明の詳細な説明】
【技術分野】
【０００１】
本発明は、ディスプレイ装置に係り、より詳細には、使用者が頼って使う対象物から人体に伝わる外力の強度を、使用者が視認性よく認識できるディスプレイ装置に関するものである。
【背景技術】
【０００２】
一般的に、蓐瘡防止または按摩を目的として、使用者の人体に外力を伝達するマットまたは椅子などが多く利用されている。
【０００３】
このように、蓐瘡防止または按摩を目的とするマット及び椅子は、振動または物理的動きなどによって使用者の人体に外力を伝達し、一定した強度で持続的に外力を伝達するより、多様な強度に変化させて人体に外力を伝達する場合が多い。
【０００４】
この時、使用者が多様なモードの中で、蓐瘡防止または按摩を目的とするマット及び椅子が現在、どんなモードで作動中であるかを確認するためには、別途のディスプレイで確認しなければならない不便さがあるという問題がある。
【０００５】
また、別途のディスプレイで確認しても、現在駆動中のモードが正確に如何なる動きを見せるモードであるかを明確に分かりにくい場合が多く、これを確認するためには別途のマニュアルを確認しなければならない場合も多いという問題がある。
【０００６】
さらに、駆動中のモードの正確な駆動状態を確認するために、直接体験しながら感じて、確認しなければならないことも生じえるという問題がある。
【発明の概要】
【発明が解決しようとする課題】
【０００７】
本発明の技術的課題は、背景技術で言及した問題点を解決するためのものであり、使用者が頼って使う対象物から人体に伝わる外力の強度を、使用者が視認性よく認識できるディスプレイ装置を提供する。
【０００８】
本発明が成そうとする技術的課題は、以上で言及した技術的課題に制限されないし、言及されていない他の技術的課題は、下記の記載から本発明が属する技術分野における通常の知識を有する者に明確に理解されることができる。
【課題を解決するための手段】
【０００９】
技術的課題を解決するために案出された本発明によるディスプレイ装置は、カバー部；上記カバー部を通じて人体に外力を伝達するための駆動部；及び上記カバー部に接して備えられ、上記駆動部から伝達される外力による表示を示すディスプレイ部；を含む。
【００１０】
ここで、上記駆動部は、振動を発生させて上記カバー部を通じて人体に振動を伝達する振動部からなる。
【００１１】
また、上記カバー部は、上記カバー部の内部に複数個に区切られた空間が形成され、上記駆動部は上記複数個に区切られた空間にそれぞれ流体を入れ込むことで人体に外力を伝達するポンプからなる。
【００１２】
この時、上記ディスプレイ装置は、空間が区切られた上記カバー部を包む別途の蓋をさらに含み、上記ディスプレイ部は上記蓋に接してなる。
【００１３】
一方、上記ディスプレイ部は、複数の発光部を含み、上記駆動部が伝達する外力の強度によって別の発光形態を表すことができる。
【００１４】
また、上記ディスプレイ部は、上記駆動部が伝達する外力の強度を測定し、測定された外力の強度に対応される表示を示すことができる。
【００１５】
また、上記ディスプレイ部は、上記駆動部に提供される外力強度調節に対する信号を共有し、外力の強度に対応される表示を示すことができる。
【００１６】
また、上記駆動部及び上記ディスプレイ部は、それぞれ複数個からなることができる。
【００１７】
また、上記ディスプレイ部は、面状発光体でありえる。
【発明の効果】
【００１８】
本発明のディスプレイ装置によれば、別途のディスプレイなしで、使用者が頼って使う対象物から人体に伝わる外力の強度を、使用者が視認性よく認識できる效果がある。
【００１９】
特に、一般的に蓐瘡防止または按摩を目的とするマットまたは椅子は多様なモードで駆動するが、別途の駆動状態を確認する必要がなく、比較的速くて容易にマットまたは椅子の駆動状態を把握することができる效果がある。
【００２０】
このような本発明による效果は、以上で言及した效果に制限されないし、言及されていない他の效果は請求範囲の記載から当業者に明確に理解されることができる。
【図面の簡単な説明】
【００２１】
【図１】本発明によるディスプレイ装置の第１実施例の全体的構成を図示した図面である。
【図２】本発明によるディスプレイ装置の第１実施例が按摩椅子に適用される構成を示す図面である。
【図３】ディスプレイ部が駆動部から伝達される外力の強度による表示を示す例示を図示した図面である。
【図４】ディスプレイ部が駆動部から伝達される外力の強度による表示を示す他の例示を図示した図面である。
【図５】ディスプレイ部が駆動部から伝達される外力の強度を感知する構成を示す図面である。
【図６】ディスプレイ部が駆動部に伝達される信号を共有する構成を示す図面である。
【図７】駆動部及びディスプレイ部が複数個備えられる構成を示す図面である。
【図８】駆動部がポンプからなる第２実施例を図示した図面である。
【図９】図８の第２実施例が蓋をさらに含む構成を図示した図面である。
【発明を実施するための形態】
【００２２】
以下、添付された図面を参照して本発明の実施例を詳細に説明すれば次のとおりである。ただし、本発明を説明するにあたり、既に公知された機能あるいは構成に対する説明は、本発明の要旨を明瞭にするために省略する。
【００２３】
同時に、本発明を説明するにあたり、前方・後方または上側・下側のように方向を指す用語は、当業者が本発明を明確に理解できるように記載したものであって、相対的方向を指すものなので、これによって権利範囲が制限されることはないと言える。
【００２４】
（第１実施例）
先ず、図１ないし図７を参照して、本発明によるディスプレイ装置の第１実施例について詳しく説明する。
【００２５】
ここで、図１は本発明によるディスプレイ装置の第１実施例の全体的な構成を図示した図面で、図２は本発明によるディスプレイ装置の第１実施例が按摩椅子に適用される構成を示す図面である。
【００２６】
一方、図３はディスプレイ部が駆動部から伝達される外力の強度による表示を示す例示を図示した図面で、図４はディスプレイ部が駆動部から伝達される外力の強度による表示を示す他の例示を図示した図面である。
【００２７】
そして、図５はディスプレイ部が駆動部から伝達される外力の強度を感知する構成を示す図面で、図６はディスプレイ部が駆動部に伝達される信号を共有する構成を示す図面で、図７は駆動部及びディスプレイ部が複数個備えられる構成を示す図面である。
【００２８】
図１及び図２に図示されたように、本発明によるディスプレイ装置の第１実施例は、カバー部１００、駆動部２００及びディスプレイ部３００を含むことができる。
【００２９】
カバー部１００は人体に当接して所定の面積を有する構成要素で、本実施例では振動マットまたは振動椅子で使用者の人体に当接する上面から構成されることができる。
【００３０】
このようなカバー部１００は、使用者の人体を支えられるように設けられれば、その形状及び構成は制限されずに多様である。
【００３１】
一方、駆動部２００はカバー部１００を通じて使用者の人体に外力を伝達するための構成要素で、本実施例ではカバー部１００を基準にしてカバー部１００が人体を支える反対側に備えられて振動を発生させる振動部２１０からなる。
【００３２】
ここで、振動部２１０は振動を発生させ、カバー部１００を通じて人体に振動を伝達する構成要素であって、蓐瘡防止または按摩などのためのマットまたは椅子などに適用されることができ、本実施例では振動マット及び振動椅子に振動部２１０が備えられた構成である。
【００３３】
このような振動部２１０は、按摩または蓐瘡防止に適する多様な強度の振動を発生させて人体に伝達できるように設けられれば、その形状及び構成は制限されずに多様である。
【００３４】
一方、ディスプレイ部３００はカバー部１００に接してなるし、駆動部２００から伝達する外力による表示を示す構成要素で、本実施例では複数個の発光部３１０からなる。
【００３５】
ディスプレイ部３００はカバー部１００の上面に備えられ、駆動部２００の駆動状態が明確に表れるように、駆動部２００が発生させる外力が使用者の人体に伝わるカバー部１００の位置に備えられることが有利である。
【００３６】
また、ディスプレイ部３００がカバー部１００の上面に備えられる場合、ディスプレイ部３００は使用者の便宜性を高めるために面状発光体からなることが有利である。
【００３７】
または、カバー部１００とディスプレイ部３００が結合する部位のカバー部１００の一部が光が透過できるように形成され、ディスプレイ部３００がカバー部１００の光が透過できる部位の背面に備えられることもできる。
【００３８】
このようなディスプレイ部３００は、図１ないし図４に図示されたように、ディスプレイ部３００の発光部３１０が駆動部２００から発生される外力の強度によって異なる形態の表示を示し、本実施例では第１発光部３１１、第２発光部３１２及び第３発光部３１３を含む複数で備えられることができる。
【００３９】
また、本実施例においてディスプレイ部３００は発光部３１０を備え、第１発光部３１１が円形に形成され、第２発光部３１２は第１発光部３１１を包むリング状に形成され、第３発光部３１３は第２発光部３１２を包むリング状に形成され、全体的に同心円状に配置されて備えられる。
【００４０】
しかし、単一で備えられた発光部３１０が、明るさを通じて振動の強度を表示するなど、駆動部２００が発生させる外力の強度を表示するために設けられれば、その形状及び構成は制限されずに多様である。
【００４１】
このようなディスプレイ部３００は、駆動部２００が発生させる外力の強度を多様な方法で表示するようになるが、図３及び図４を参照して察してみると、本実施例に適用された振動部２１０が多様な強度の振動を発生している時、発光部３１０が各振動が強度別に異なる発光形態を表していることが分かる。
【００４２】
先ず、図３に図示されたように、発光部３１０は各振動の強度別に異なる発光部３１０が発光して、振動部２１０が発生させる振動の強度を表示することができる。
【００４３】
より詳細には、振動部２１０が比較的に弱い強度の振動を発生させる時は、全体発光部３１０の中で第１発光部３１１だけ発光し、より強い強度の振動を発生させる時は、全体発光部３１０の中で第２発光部３１２だけ発光し、最も強い振動を発生させる時は、全体発光部３１０の中で第３発光部３１３だけ発光する方式で振動部２１０が発生させる振動の強度を表示することが可能である。
【００４４】
または、図４に図示されたように、発光部３１０は各振動の強度別に異なる個数の発光部３１０が発光して、振動部２１０が発生させる振動の強度を表示することができる。
【００４５】
より詳細には、振動部２１０が比較的に弱い強度の振動を発生させる時は、全体発光部３１０の中で第１発光部３１１だけ発光し、より強い強度の振動を発生させる時には、全体発光部３１０の中で第１発光部３１１及び第２発光部３１２が発光し、最も強い振動を発生させる時には、第１発光部３１１、第２発光部３１２及び第３発光部３１３のいずれもが発光する方式で振動部２１０が発生させる振動の強度を表示することも可能である。
【００４６】
前述したディスプレイ部３００の表現方法は、本実施例に適用された例示に過ぎないし、これに限定されずに駆動部２００が発生させる外力の強度を表現することができれば、多様な表現方法が適用されることができる。
【００４７】
一方、ディスプレイ部３００が駆動部２００が発生させる外力の強度を把握する方法は次のとおりである。
【００４８】
図５に図示されたように、ディスプレイ部３００は外力強度感知センサー３２０をさらに含むことができる。
【００４９】
このような場合、駆動部２００は駆動部２００を制御する制御部４００の信号を受けて人体に伝達する外力を発生させ、ディスプレイ部３００の外力強度感知センサー３２０は駆動部２００が発生させる外力の強度を測定し、外力強度感知センサー３２０が感知した外力の強度に応じてディスプレイ部３００がどのような表示をするかを決めることができる。
【００５０】
このような外力強度感知センサー３２０は、駆動部２００が発生させる外力の強度を測定するように設けられれば、その形状及び構成は制限されずに多様である。
【００５１】
または、図６に図示されたように、ディスプレイ部３００は駆動部２００に提供される外力強度調節に対する信号を共有して駆動部２００が発生させる外力の強度を表示することができる。
【００５２】
このような場合、駆動部２００が駆動部２００を制御する制御部４００の信号を受けて人体に伝わる外力を発生させる時、ディスプレイ部３００が制御部４００から駆動部２００に提供される信号を共有し、信号が持つ強度に対する情報によってディスプレイ部３００がどのような表示を示すか決めることができる。
【００５３】
一方、図１、図２及び図７に図示されたように、駆動部２００及びディスプレイ部３００は複数でなることができる。
【００５４】
このとき、駆動部２００及びディスプレイ部３００は同じ個数で備えられ、駆動部２００が備えられる位置に対応してディスプレイ部３００が配置されることが有利である。
【００５５】
このような配置を通じて、各々の駆動部２００が互いに異なる駆動状態で駆動する場合、各駆動部２００の駆動状態を容易に把握することができる。
【００５６】
本実施例において、駆動部２００及びディスプレイ部３００の配置は一つの実施例に過ぎず、その配置は多様に適用されることができる。
【００５７】
このような構成によって、複数で備えられた駆動部２００は、それぞれ違う強度の外力を発生させることができるし、それによって各々の駆動部２００と対応されるディスプレイ部３００が、各駆動部２００が発生させる外力の強度を表示することができる。
【００５８】
すなわち、図７に図示されたように、使用者の使用目的に合わせて各部位ごと別々に駆動している状態を、各部位別に備えられたディスプレイ部３００を通じて示すことで、使用者が直観的に振動マットまたは振動椅子の駆動状態を視認性よく判断することができる效果がある。
【００５９】
（第２実施例）
次いで、図８及び図９を参照して、本発明によるディスプレイ装置の第２実施例について詳しく説明する。
【００６０】
ここで、図８は駆動部がポンプからなる第２実施例を図示した図面で、図９は図８の第２実施例が蓋をさらに含む構成を図示した図面である。
【００６１】
図８に図示されたように、本発明によるディスプレイ装置の第２実施例は、カバー部１００及びディスプレイ部３００を含み、駆動部２００に別途のポンプ２２０が備えられる。
【００６２】
カバー部１００は、前述した本発明によるディスプレイ装置の第１実施例のカバー部１００と類似する構成であるが、単にカバー部１００の内部で複数に区切られた空間が形成される。
【００６３】
本実施例では、所定の長さを有する多数のチューブが連結される形で空間が区切られているが、カバー部１００内部の空間が互いに連通されずに区切られれば、その形状及び構成は制限されずに多様である。
【００６４】
一方、ポンプ２２０はカバー部１００の内部に区切られた各空間に流体を供給したり、または除去できる構成要素で、前述した第１実施例で外力が振動であったことに対し、本実施例ではポンプ２２０によってカバー部１００内部の区切られた空間に流体が供給されながらカバー部１００の区切られた空間が膨らみ、膨らんだカバー部１００が人体を支える力が人体に伝達される外力となる。
【００６５】
すなわち、ポンプ２２０が区切られたカバー部１００の内部空間に流体を供給したり除去することで、カバー部１００上面の高さが変化し、これによってカバー部１００がカバー部１００の上面に位置する使用者の人体部位を支える時、人体のある特定部位に加えられる外力が変化しながら蓐瘡防止または按摩の效果を得られる。
【００６６】
また、ポンプ２２０が使用者の人体に外力を加えるために、カバー部１００の内部に流体を供給したり除去するパターンは限定されないし、多様に適用することが可能である。
【００６７】
一方、ディスプレイ部３００は前述した第１実施例と類似する構成で形成される。
【００６８】
本実施例において、ディスプレイ部３００はカバー部１００に多数備えられ、各ディスプレイ部３００は多数の発光部が備えられることではなく、一つの発光部が明るさを通じて示すように構成されているが、前述した第１実施例のディスプレイ部３００のように、表現方法は限定されずに多様である。
【００６９】
また、本実施例ではポンプ２２０によってカバー部１００の内部に区切られた空間の流体が除去される度合いを確認してディスプレイ部３００が状態情報を示すように構成されることができる。
【００７０】
このような構成もまた、前述した第１実施例と同様、使用者の使用目的に合わせて各部位ごと別々に駆動している状態を、各部位別に備えられたディスプレイ部３００を通じて表示することで、使用者が直観的に振動マットまたは振動椅子の駆動状態を視認性よく判断できる效果がある。
【００７１】
一方、図９に図示されたように、本発明によるディスプレイ装置の第２実施例は、前述したカバー部１００を包む別途の蓋５００をさらに含むことができる。
【００７２】
この場合、ディスプレイ部３００は蓋５００に備えられることが有利であり、または蓋５００が光の透過率が高く形成されることも適用可能である。
【００７３】
別途の蓋５００を用いて、カバー部１００の内部空間が区切られて形成されることができる上面の凹凸によって生じえる問題点、例えば、それぞれの区切られた空間の間に異物が入って生じえる故障、または衛生的問題のような維持管理側面の問題点や、比較的に使用者の安らかさが低下する問題点などを防止することができる效果がある。
【００７４】
すなわち、使用者の便宜性を高めると同時に、蓐瘡防止または按摩のために、使用者の人体に外力を伝達する装置が駆動する多様なモードを比較的に速くて容易に把握できる效果がある。
【００７５】
また、以上で説明したように、本発明の特定の実施例が説明されて図示されたが、本発明は記載された実施例に限定されるのではないし、本発明の思想及び範囲を脱することなく、多様に修正及び変形することができることはこの技術の分野における通常の知識を有する者に自明 である。よって、そのような修正例または変形例は、本発明の技術的思想や観点から個別に理解されてはならないし、変形された実施例は本発明の特許請求の範囲に属すると言うべきである。
【図１】
0006336118.tif 000002
【図２】
0006336118.tif 000003
【図３】
0006336118.tif 000004
【図４】
0006336118.tif 000005
【図５】
0006336118.tif 000006
【図６】
0006336118.tif 000007
【図７】
0006336118.tif 000008
【図８】
0006336118.tif 000009
【図９】
0006336118.tif 000010